(57)【要約】【課題】パターヘッドがボールと目標とを結ぶライン上及びその延長ライン上を動き、ボールを打突するときに打突点（スウィートスポット）からズレないパターの提供。【解決手段】ボールを打突するフェースを前面に有し、曲面状若しくは平面状のソールを底面に備えるパターヘッドと、一端にグリップを有するシャフトとを備え、シャフトに備わるグリップを左右の手を組み合わせて握った時の中心位置を支点に前記パターを吊るした状態で、フェースのトーとヒールを貫く鉛直面へのシャフトの投影が鉛直線に対してなす角度を維持し、且つ曲面状のソールではソールの最凸点の接面或いは平面状のソールではソールが水平面と平行になるように、パターヘッドに他端が突設されているゴルフ用パター。【選択図】図１
2009273582.tif 000002
【特許請求の範囲】
【請求項１】
ゴルフ用パターであって、
ボールを打突するフェースを前面に有し、曲面状若しくは平面状のソールを底面に備えるパターヘッドと、
一端にグリップを有するシャフトとを備え、
前記シャフトは、グリップを左右の手を組み合わせて握った時の中心位置を支点に前記パターを吊るした状態で、前記フェースのトーとヒールを貫く鉛直面への前記シャフトの投影が鉛直線に対してなす角度を維持し、且つ前記曲面状のソールではソールの最凸点の接面或いは前記平面状のソールではソールが水平面と平行になるように、前記パターヘッドに他端が突設されていることを特徴とするゴルフ用パター。
【請求項２】
ゴルフ用パターであって、
ボールを打突するフェースを前面に有し、曲面状若しくは平面状のソールを底面に備えるパターヘッドと、
一端にグリップを有するシャフトとを備え、
前記シャフトは、前記グリップを左右の手を組み合わせて握った時の中心位置を支点に前記パターを吊るした状態において、パターヘッドの重心を貫く横断面が水平面と平行になるように前記パターヘッドに他端が突設されていることを特徴とするゴルフ用パター。
【請求項３】
前記ゴルフ用パターが、水平面に自立した場合に、前記フェースのトーとヒールを貫く鉛直面への前記シャフトの投影が鉛直線に対してなす角度が変化しないことを特徴とする請求項１又は２に記載のゴルフ用パター。
【請求項４】
前記ゴルフ用パターの重心が、前記グリップを左右の手を組み合わせて握った時の中心位置の鉛直線上に位置することを特徴とする請求項１乃至３のいずれか１項に記載のゴルフ用パター。
【請求項５】
前記グリップを左右の手を組み合わせて握った時の中心位置と、前記パターヘッドの重心と、前記フェースの面上にあるボールの打突点とが、意図するプレーのラインに沿った同一鉛直面上に位置することを特徴とする請求項１乃至４のいずれか１項に記載のゴルフ用パター。
【請求項６】
前記グリップを左右の手を組み合わせて握った時の中心位置を支点に前記パターを吊るした状態において、前記グリップを左右の手を組み合わせて握った時の中心位置にかかる力のモーメントと、前記シャフトによる力のモーメントと、前記パターヘッドによる力のモーメントとが打ち消されるように、前記シャフトが前記パターヘッドに突設されることを特徴とする請求項１乃至３のいずれか１項に記載のゴルフ用パター。
【請求項７】
前記パターヘッドの重心、前記グリップを左右の手を組み合わせて握った時の中心位置、並びに前記シャフトの重心が、
前記パターヘッドの重心を貫く同一鉛直面上に位置し、且つ前記パターヘッドの重心を貫く水平面に対する投影が、前記シャフトの重心、前記グリップを左右の手を組み合わせて握った時の中心位置、前記パターヘッドの重心の順、或いは前記パターヘッドの重心、前記グリップを左右の手を組み合わせて握った時の中心位置、前記シャフトの重心の順に位置することを特徴とする請求項６記載のゴルフ用パター。
【請求項８】
前記シャフトが、前記パターヘッドのトー側上面に突設されることを特徴とする請求項１乃至７のいずれか１項に記載のゴルフ用パター。
【請求項９】
前記シャフトが、前記パターヘッドのセンター部上面又はヒール側上面に突設され、且つ前記ソールから１２７ｍｍ以内の高さまでトー側方向に曲げられていることを特徴とする請求項１乃至７のいずれか１項に記載のゴルフ用パター。
【請求項１０】
前記ソールが、前記ゴルフ用パターを水平面に自立させた場合に、前記フェースのトーとヒールを貫く鉛直面への前記シャフトの投影が鉛直線に対してなす角度を変化させない形状であることを特徴とする請求項１乃至９のいずれか１項に記載のゴルフ用パター。
【発明の詳細な説明】
【技術分野】
【０００１】
本発明は、ゴルフのパターに関するもので、特にパターをストロークしたときに、パターヘッドがボールと目標とを結ぶライン上及びその延長ライン上を動き、打突点（スウィートスポット）からズレないパターに関するものである。
【背景技術】
【０００２】
一般的なパターは、パターヘッドのフェースに設けられる打突点（スウィートスポット）にボールが当たるように構えた状態から、テークバックを開始したとたんに、パターヘッドは重力によって内側に引っ張られ、パターのヒールが浮き上がった状態でテークバックされてしまう。その結果、インパクト時には、きちんとスウィートスポットに当たらず、ヘッドのフェース先端方向にスウィートスポットからズレた箇所に当たる傾向が非常に強く、そのためインパクト時にフェースが開いてしまい、更にはロフト角のあるパターでは、ヒールアップ状態でインパクトするとボールには右回転がかかってしまうので、ボールを意図するターゲット方向に正確に転がすことが困難になってしまう。
【０００３】
このような問題に対して、図８に見られるようなパターヘッド２の重心がシャフト３の延長線上にあり、パター１１のシャフト３を水平に構えた場合に、フェース２０も水平になる「フェースバランス」構造のパター（例えば、特許文献１）が数多く提供されている。
【特許文献１】特開平６−２８５１８６号公報
【発明の開示】
【発明が解決しようとする課題】
【０００４】
しかしながら、図８のようなパターでパットしてみても、この構造のパターでは、その問題を充分には解決できていなかった。
【０００５】
即ち、図９のパター１２のように、シャフト３に設けたグリップ３０を左右の手を組み合わせて握った時の中心位置を支点にして吊るした状態で、ソール２２が水平になるようなパター１２でストロークすると、まさに振り子の動きをするだけで、パターヘッド２がボールと目標とを結ぶライン上及びその延長ライン上を動き、フェース２０はそのラインに対しての垂直面となり、スウィートスポットからズレないで、ボールを打つことができるものであるが、日本ゴルフ協会規約（付属規則II−１−１ｄ、アライメント（i）に記載される「トーとヒールを貫く鉛直面へのシャフトの真っ直ぐな部分の投影は、その鉛直線に対して１０度以上なければならない」）のゴルフクラブの形態に関する規定から、図８に示す角度αが０度のようなパター１２は提案、製造、使用されることはなかった。
【０００６】
このような状況を鑑み、パターヘッドがボールと目標とを結ぶライン上及びその延長ライン上を動き、ボールを打突するときに打突点（スウィートスポット）からズレないパターの提供を目的とする。
【課題を解決するための手段】
【０００７】
このような状況を鑑み、本発明の第一の発明は、ボールを打突するフェースを前面に有し、曲面状若しくは平面状のソールを底面に備えるパターヘッドと、一端にグリップを有するシャフトとを備え、グリップを左右の手を組み合わせて握った時の中心位置を支点に前記パターを吊るした状態で、フェースのトーとヒールを貫く鉛直面へのシャフトの投影が鉛直線に対してなす角度を維持し、且つ曲面状のソールではソールの最凸点の接面或いは平面状のソールではソールの平面が水平面と平行になるようにパターヘッドにシャフトの他端が突設されているゴルフ用パターである。
【０００８】
本発明の第二の発明は、ボールを打突するフェースを前面に備え、曲面状若しくは平面状のソールを底面に備えるパターヘッドと、一端にグリップを備え、他端がパターヘッドに突設されるシャフトとを備え、このシャフトが、グリップを左右の手を組み合わせて握った時の中心位置を支点にパターを吊るした状態で、パターヘッドの重心を貫く横断面が水平面と平行になるようにパターヘッドに突設されているゴルフ用パターである。
ここで、パターヘッドの重心を支点として、パターヘッドを釣り合いの状態においた場合に、重心を貫く水平面によるパターヘッドの断面をパターヘッドの重心を貫く横断面としている。
【０００９】
本発明の第三の発明は、ゴルフ用パターを水平面に自立させた場合に、フェースのトーとヒールを貫く鉛直面へのシャフトの投影が鉛直線に対してなす角度が変化しないことを特徴とするゴルフ用パターである。
【００１０】
本発明の第四の発明は、ボールを打突するフェースを前面に備え、曲面状若しくは平面状のソールを底面に備えるパターヘッドと、一端にグリップを備え、他端がパターヘッドに突設されるシャフトとを備え、グリップを左右の手を組み合わせて握った時の中心位置を支点としてパターを吊るした状態で、グリップを左右の手を組み合わせて握った時の中心位置の鉛直線上にパターの重心が位置するように、このシャフトがパターヘッドに突設されていることを特徴とするゴルフ用パターである。
【００１１】
本発明の第五の発明は、ボールを打突するフェースを前面に備え、曲面状若しくは平面状のソールを底面に備えるパターヘッドと、一端にグリップを備え、他端がパターヘッドに突設されるシャフトとを備え、このシャフトは、グリップを左右の手を組み合わせて握った時の中心位置、パターヘッドの重心、及びフェースの面上にあるボールの打突点とが、意図するプレーのラインに沿った同一鉛直面上に位置するようにパターヘッドに突設されていることを特徴とするゴルフ用パターである。
【００１２】
本発明の第六の発明は、ボールを打突するフェースを前面に備え、曲面状若しくは平面状のソールを底面に備えるパターヘッドと、一端にグリップを備え、他端が前記パターヘッドに突設されるシャフトとを備え、このグリップを左右の手を組み合わせて握った時の中心位置を支点にパターを吊るした状態において、グリップを左右の手を組み合わせて握った時の中心位置にかかる力のモーメントと、シャフトによる力のモーメントと、パターヘッドによる力のモーメントとが打ち消されるように、シャフトがパターヘッドに突設されていることを特徴とするゴルフ用パターである。
【００１３】
本発明の第七の発明は、パターヘッドの重心、グリップを左右の手を組み合わせて握った時の中心位置、並びにシャフトの重心が、パターヘッドの重心を貫く鉛直面上に位置し、且つパターヘッドの重心を貫く水平面に対する投影が、シャフトの重心、グリップを左右の手を組み合わせて握った時の中心位置、パターヘッドの重心の順、或いは前記パターヘッドの重心、前記グリップを左右の手を組み合わせて握った時の中心位置、前記シャフトの重心の順に位置することを特徴とするゴルフ用パターである。
【００１４】
本発明の第八の発明は、第一の発明から第七の発明のいずれかに記載のゴルフ用パターのシャフトが、パターヘッドのトー側上面に突設されるゴルフ用パターである。
又、本発明の第九の発明は、第一の発明から第七の発明のいずれかに記載のゴルフ用パターのシャフトが、パターヘッドのセンター部上面又はヒール側上面に突設され、且つソールから１２７ｍｍ以内の高さまでトー側方向に曲げられていることを特徴とするゴルフ用パターである。
【００１５】
本発明の第十の発明は、第一の発明から第九の発明のいずれかに記載のゴルフ用パターのソールが、パターを水平面に自立させた場合に、フェースのトーとヒールを貫く鉛直面へのシャフトの投影が鉛直線に対してなす角度を変化させない形状であることを特徴とするゴルフ用パターである。
【発明の効果】
【００１６】
本発明のゴルフ用パターによれば、パターを握った状態で、なんの動作をしなくてもソールが水平に保たれ、構えたときのライ角どおりにインパクトを迎えられ、且つフェースはボールと目標とを結ぶラインに対して、フェースの持つロフト角どおりにボールとのインパクトを迎えることができるため、ゴルフを始めたばかりの初心者から、プロフェッショナルを含む上級者に至るまで、フェースの打突点（スウィートスポット、芯とも称す）でボールを捕らえる確率及び、目標に向かって正確にボールを転がす確率を格段に高めるものである。
更に、パターヘッドを闇雲に操作してストロークの軌道を乱したり、緊張のあまりグリップを握る力が強くなりすぎて、ボールへの適度な打突が与えられないという失敗を抑制する効果も有している。
【発明を実施するための最良の形態】
【００１７】
本発明は、フェースの打突点（スウィートスポット、芯とも称す）でボールを確実に捕らえ、意図するプレーのラインに向かってボールを転がすのに適したパターを見出したもので、グリップを左右の手を組み合わせて握った時の中心位置（以下、グリップ中心位置と略す）を支点にしてパターを吊るした状態において、ソールを形成する面、又はその接面が水平面と平行であること、或いはパターヘッドの重心を貫く横断面が水平面と平行であることを特徴とするものである。
【００１８】
以下に、図を用いて本発明を詳細に説明する。
図１は、本発明パターの概略を説明する図で、図１（ａ）、（ｂ）は第一の発明及び第三の発明のパター、図１（ｃ）は第二の発明及び第三の発明のパター、図１（ｄ）は曲面状のソールの接面を説明する図で、１はパター、２はパターヘッド、Ｈはパターヘッドの重心、Ｇはグリップ中心位置、２１ａはトー、２１ｂはヒール、２２はソール、２２ａは最凸点、２２ｂは最凸点における接面、αはフェースのトーとヒールを貫く鉛直面へのシャフトの投影が鉛直線に対してなす角度である。尚、９０度−αが「ライ角」となる。
図２は、第四の発明のパターの概略を説明する図で、図２に示すようにグリップ中心位置Ｇの鉛直線上にパターの重心Ｐが位置するものです。
【００１９】
図３は、第五の発明の本発明ゴルフ用パターの外観斜視説明図である。
図３において、１はパター、２はパターヘッド、３はシャフト、２０はフェース、２１ａはトー、２１ｂはヒール、２２はソール、２３は打突点（スウィートスポット）、３０はグリップ、３１はネック、ＮＬはソール２２からネック３１の上端までの長さ、αはフェースのトーとヒールを貫く鉛直面へのシャフトの投影の鉛直線に対する角度（度）、βは、意図するプレーの線に沿った鉛直面へのシャフトの投影の鉛直線に対する角度（度）、ｚ０はパターヘッドの重心を貫く水平面、ｘ０はフェースのトーとヒールを貫く鉛直面で、且つ水平面ｚ０の鉛直面、ｙ１はパターヘッドの重心、グリップ中心位置、及び打突点を貫く意図するプレーのラインに沿った鉛直面である。
ここで、意図するプレーのラインは目標とボールを結ぶ直線の意味であり、シャフトの投影においては、シャフトの真っ直ぐな部分の投影の意味で用い、フェースのトー、ヒールなどの用語の意味は、日本ゴルフ協会規約を参照している。
【００２０】
図４は、図３と同じく第五の発明の他の実施例を表す外観斜視説明図である。図中の斜線網掛けの三角形は、グリップ中心位置Ｇ、パターヘッドの重心Ｈ、打突点２３で形成する三角形である。
【００２１】
図５は、第六の発明、第七の発明パターの概略を説明する図で、図５（ａ）は側面図、図５（ｂ）、（ｃ）はｚ方向から見た図、特に図５（ｃ）は角β＝０の場合、図５（ｄ）は図５（ｃ）のパターにおける解析のための模式図である。
図５において、ｍはシャフトの重さ、Ｍはパターヘッドの重さ、Ｌｇはシャフトの中心軸とパターヘッドの重心を貫く水平面ｚ０との交点Ｏからグリップ中心位置Ｇまでの距離、Ｌｓは交点Ｏからシャフトの重心Ｓまでの距離、Ｌｈは交点Ｏからパターヘッドの重心Ｈまでの距離である。ｄｓはグリップ中心位置からシャフトの重心までの水平距離、ｄｈはグリップ中心位置からパターヘッドの重心までの水平距離である。
【００２２】
図６は、パターヘッドへのシャフトの突設形態を示す図で、図６（ａ）はヒール側上面に突設され、高さＮＬのトー側方向に曲がったネックを有するシャフトを示すもので、図６（ｂ）はセンター部上面にシャフトが突設され、同様に高さＮＬのトー側方向に曲がったネックを有するシャフトを示すものである。
図７は、パターヘッドのソール形状の説明図である。
【００２３】
図１（ａ）、（ｂ）共に、グリップ中心位置を支点として吊り下げた場合に、図１（ａ）のような曲面状のソールの場合にはソールの最凸点の接面が、或いは図１（ｂ）のような平面状のソールではソール面が水平面と平行になるパターである。ここで、最凸点とは、図１（ｄ）に示されるような、曲面において最も凸に突出している箇所としている。
図１（ｃ）ではパターヘッドの重心を貫く横断面が水平面と平行になるパターである。なお、このような場合には、平面状のソールのソール面或いは曲面状のソールにおけるソールの最凸点の接面、若しくはパターヘッドの重心を貫く横断面は、グリップ中心位置を貫く全ての鉛直面と垂直でもある。
【００２４】
図２は、第四の発明に係るパター１を説明するもので、グリップ中心位置の鉛直線上でグリップ中心位置の下方にパター１の重心があると共に、その状態で、平面のソール面、曲面状のソール面ではソール面の接面、或いはパターヘッドの重心を貫く横断面が、水平面と平行になるゴルフ用パターである。尚、グリップ中心位置がパターの重心である場合は除くものである。
【００２５】
図３に示す本発明のゴルフ用パター１のシャフト３は、その一端には長さＮＬのネック３１、他端にはグリップ３０を備え、パターヘッド２のトー２１ａ側の上面に鉛直線方向上向きにネック３１が突設されて設けられている。ネック３１の上端からグリップ３０にかけてはα、βの各角度の大きさに従っている。
なお、この突設は固定も含むものである。又、ネック３１の長さＮＬは、パターヘッドのソールからの長さで規定されるもので、長い方が本発明のゴルフ用パターを実施するには良いが、日本ゴルフ協会規約上では１２７ｍｍ以内と定められている。
このとき角αは１０度以上と定められ、角βは−２０度から１０度の範囲内（フェースに対して後方に傾く場合を正としている）で設定されるが、−１０度から１０度、より好ましくは０度から１０度の範囲が望ましい。
【００２６】
図３の実施例では、グリップ中心位置Ｇの鉛直線上にパターヘッドの重心Ｈが配置され、これらと打突点２３を結んだ直角三角形が形成されている。この直角三角形は、鉛直面ｙ１上に形成されている。鉛直面ｙ１は意図したプレーのラインに沿った鉛直面であり、パッティングの際のストロークで、パターヘッド２のスウィートスポットである打突点２３が、この鉛直面上で軌道を描くことで、ボールの打突箇所が打突点２３（スウィートスポット）からズレずにパッティングすることができる。又、パターの重心も意図したプレーのラインに沿った鉛直面上に存在することが望ましい。
【００２７】
図４では、パターヘッドの重心Ｈは、図１の場合と異なりグリップ中心位置Ｇの鉛直線上にはないが、グリップ中心位置Ｇ、パターヘッドの重心Ｈ、打突点２３で形成する三角形が、これら３点を貫き意図するプレーのラインに沿った鉛直面ｙ１上に形成されている。
このように鉛直面ｙ１上に、これら３点が形成されている場合には、図３の実施例と同様に、打突点２３は鉛直面ｙ１上に、その軌道を描いてパッティングを容易にする。
【００２８】
図５は、第六の発明、第七の発明のパター１を説明するもので、グリップ中心位置Ｇにかかる力のモーメントと、シャフト３による力のモーメントと、パターヘッド２による力のモーメントとが打ち消されるような適正な角度α、βでシャフト３がパターヘッド２に突設（固定を含む）されることで、曲面状のソールの場合にはソールの最凸点の接面、或いは平面状のソールではソール、若しくはパターヘッドの重心を貫く横断面とが水平面と平行になる。
図５では、シャフト３にネックがない場合を示しているが、図３のようにネックをシャフトに設けられていても良い。
【００２９】
又、請求項７に規定するようなパターヘッドの重心Ｈ、グリップ中心位置Ｇ、並びにシャフトの重心Ｓが、交点Ｏとパターヘッドの重心Ｈを貫く鉛直面上に位置し、且つパターヘッドの重心を貫く水平面に対する投影が、シャフトの重心、グリップ中心位置、パターヘッドの重心の順に位置し、角β＝０度の場合には、下記数１に示す関係を求めることにより本発明のゴルフ用パターを得られる。
【００３０】
［数１］
パターヘッド重心を貫く水平面ｚ０とシャフトの中心軸の交点Ｏからの水平距離ｈ()を以下で表す。ネックがある場合には、ネックの上端を交点Ｏとする。
ｈ（ＯＧ）＝Ｌｇ、ｈ（ＯＳ）＝Ｌｓ、ｈ（ＯＨ）＝Ｌｈ＝ＯＨ
グリップ中心位置Ｇを支点として釣り合う場合、力の釣り合いの式は、（１）式が成り立つ。
Ｔ＝Ｍｇ＋ｍｇ・・・（１）
力のモーメントの釣り合いの式は、交点Ｏを支点とすると、（２）式となる。
ＴＬｇ＝ＭｇＬｈ＋ｍｇＬｓ…（２）
（１）式を（２）式に代入、
（Ｍ＋ｍ）Ｌｇ＝ＭＬｈ＋ｍＬｓ
パターの各要素の寸法を以下に表す。
グリップ中心位置までの長さ：ＯＧ＝Ｌ０、
シャフトの重心までの長さ：ＯＳ＝Ｌ１、
パターヘッドの重心までの長さ：ＯＨ＝Ｌ２
鉛直線とシャフトのなす角：α≧１０度
Ｌｇ＝Ｌ０ｓｉｎα
Ｌｓ＝Ｌ１ｓｉｎα
（Ｍ＋ｍ）Ｌ０ｓｉｎα＝ＭＬｈ＋ｍＬ１ｓｉｎα
ｓｉｎα{（Ｍ＋ｍ）Ｌ０＋ｍＬ１}＝ＭＬｈ
ｓｉｎα＝ＭＬｈ／{（Ｍ＋ｍ）Ｌ０＋ｍＬ１}≧ｓｉｎ（１０度）
α＝ｓｉｎ−１〔ＭＬｈ／{（Ｍ＋ｍ）Ｌ０＋ｍＬ１}〕≧１０度…（３）
式（３）を満たすように、各変数を決定することで、本発明のパターの構造が決定される。
【００３１】
更に、図１乃至図５のように、シャフト３をパターヘッド２のトー２１ａ側上面に設けることは、第一の発明乃至第七の発明を容易に実現せしめるのに効果的である。
又、シャフト３のパターヘッド２への突設は、図６（ａ）、（ｂ）に示すような形態で行なっても良い。この場合、シャフト３のネック３１の長さは、ソールより１２７ｍｍ以内とする。
【００３２】
更に、本発明のゴルフ用パターのソールは、図７に示すようにゴルフ用パターを水平面に自立させた場合に、フェースのトーとヒールを貫く鉛直面への前記シャフトの投影が鉛直線に対してなす角度である角αを変化させない形状であることが望ましい。
【００３３】
以下に、本発明の使用方法を説明する。
（本発明の使用方法）
先ず、パターヘッドの重みを意識して素振りを数回行い、パターが真っ直ぐ動くことを体感する。次に、握った手でパターを勝手に操作しないように、グリップをなるべくゆるく握りストローク（振り子の動き）で前後に動かすようにする。このように用いれば、パターのフェース面がターゲットラインに対して垂直に保たれるため、失敗の確率が激減する。
【００３４】
実際のグリーン上では、先ず、グリーン上にて本発明に係るパターを自立させフェースが意図するプレーのライン方向に向いているかどうかを後方より確認する。
【００３５】
次に、パターの横に移動し、角αを変えないようにグリップを握り、パターヘッドをわずかに浮かせ、距離感のみを意識しながら、自然にストロークすれば、重力にまかせられたパターヘッドが勝手に真っ直ぐ動き、フェースは意図するプレーのラインに対して垂直になり、ボールがフェースの打突点を外れることもなく、更にインパクト時にソールの面が水平面と平行になることから、ロフト角のあるパターでもボールにサイドスピンがかかることもない。
【図面の簡単な説明】
【００３６】
【図１】本発明に係るゴルフ用パターの説明図で、（ａ）は第一の発明のパターの正面図、（ｂ）は第一の発明のパターの正面図、（ｃ）は第二の発明のパターの正面図、（ｄ）は曲面状のソールの接面を説明する図である。
【図２】本発明に係るゴルフ用パターの説明図で、第三の発明のパターの正面図である。
【図３】第四の発明に係るパターの一実施例の外観斜視説明図である。
【図４】第四の発明に係るパターの他の実施例の外観斜視説明図である。
【図５】第五の発明、６に係るパターの説明図で、（ａ）は正面図、（ｂ）、（ｃ）はｚ方向から見た図で、（ｃ）は角βが０度の場合で、（ｄ）は解析のための模式図である。
【図６】パターヘッドへのシャフトの突設形態を示す図で、（ａ）はヒール側上面、（ｂ）はセンター部上面の模式図である。
【図７】パターヘッドのソール形状の説明図である。
【図８】従来のフェースバランス構造のパターの説明図で、（ａ）は外観斜視図、（ｂ）は側面図である。
【図９】完全なフェースバランス型の理想パターの外観斜視図である。
【符号の説明】
【００３７】
１、１１、１２    パター
２    パターヘッド
３    シャフト
２０    フェース
２１ａ  トー
２１ｂ  ヒール
２２    ソール
２２ａ  最凸点
２２ｂ  最凸点における接面
２３    打突点（スィートスポット）
３０    グリップ
３１    ネック
α    αはフェースのトーとヒールを貫く鉛直面へのシャフトの投影の鉛直線に対する角度（度）
β    意図するプレーの線に沿った鉛直面へのシャフトの投影の鉛直線に対する角度（度）
Ｐ    パターの重心
Ｈ    パターヘッドの重心
Ｓ    シャフトの重心
Ｇ    グリップの中心位置
【図１】
2009273582.tif 000003
【図２】
2009273582.tif 000004
【図３】
2009273582.tif 000005
【図４】
2009273582.tif 000006
【図５】
2009273582.tif 000007
【図６】
2009273582.tif 000008
【図７】
2009273582.tif 000009
【図８】
2009273582.tif 000010
【図９】
2009273582.tif 000011